(57)【要約】【課題】チャンネル推定のための個別リファレンス信号DRSのチャンネル応答を生成する方法を提供する。【解決手段】チャンネル応答を生成する方法は、少なくとも一つの信号フレームにおける少なくとも一部のDRSの初期チャンネル応答を生成する初期チャンネル応答生成ステップと、少なくとも一部のDRSに含まれる二つのDRSに対応する初期チャンネル応答間の差を決定するチャンネル応答差決定ステップと、初期チャンネル応答の差とノイズパワーに基づき少なくとも一部のDRSに対する重みを生成する重み生成ステップと、その重みを利用して少なくとも一部のDRSに対する最終チャンネル応答を取得する最終チャンネル応答生成ステップとを含む。【選択図】図１
2011166786.tif 000002
【特許請求の範囲】
【請求項１】
チャンネル推定のための個別リファレンス信号のチャンネル応答を生成する方法であって、
複数の信号フレームにおける少なくとも一つの信号フレームに対して、当該少なくとも一つの信号フレームにおける複数の個別リファレンス信号の少なくとも一部の個別リファレンス信号の信号フレーム内のロケーションでの送信信号と受信信号に基づいて、当該少なくとも一部の個別リファレンス信号に対する初期チャンネル応答を生成する初期チャンネル応答生成ステップと、
前記少なくとも一部の個別リファレンス信号のうちの個々の個別リファレンス信号の初期チャンネル応答と前記少なくとも一部の個別リファレンス信号の他の個別リファレンス信号の初期チャンネル応答との差をそれぞれ決定するチャンネル応答差決定ステップと、
前記チャンネル応答差決定ステップで決定された初期チャンネル応答の差とノイズパワーに基づき前記少なくとも一部の個別リファレンス信号に対する重みを生成する重み生成ステップと、
前記少なくとも一部の個別リファレンス信号に対する最終チャンネル応答を取得するように、前記重みを利用して前記初期チャンネル応答について重み付け処理を行う最終チャンネル応答生成ステップと、
を含む方法。
【請求項２】
前記重み生成ステップは、前記チャンネル応答差決定ステップで決定された前記初期チャンネル応答の差が第１の値より大きい場合には、当該差と関連している個別リファレンス信号に対して第１の重みを生成し、前記チャンネル応答差決定ステップで決定された前記初期チャンネル応答の差が前記第１の値よりも小さい場合には、当該差と関連している個別リファレンス信号に対して前記第１の重みよりも大きい第２の重みを生成する請求項１に記載の方法。
【請求項３】
前記チャンネル応答差決定ステップは、
以下の式によって、前記少なくとも一部の個別リファレンス信号のうちの第ｉ個別リファレンス信号と第ｊ個別リファレンス信号の初期チャンネル応答間の差のノルム二乗Pi,jを生成して当該第ｉ個別リファレンス信号の初期チャンネル応答と当該第ｊ個別リファレンス信号の初期チャンネル応答の間の差とするステップを含み、
【数１】
2011166786.tif 000031
ここで、HoiとHojはそれぞれ前記第ｉ個別リファレンス信号と前記第ｊ個別リファレンス信号の初期チャンネル応答であり、前記少なくとも一部の個別リファレンス信号に含まれるN個全ての個別リファレンス信号に対応する差のノルム二乗Pi,jにより構成されるマトリックスは前記チャンネル応答差決定ステップで決定された前記初期チャンネル応答の差Pdiffを構成し、
【数２】
2011166786.tif 000032
ここで、N、ｉ、ｊは１より大きな自然数であり、且つｉ、ｊはN以下であり、ｉ＝ｊ又はi ≠ jである、請求項１又は２に記載の方法。
【請求項４】
前記重み生成ステップは、以下の式によって個別リファレンス信号に対する相対的な重みWi,jrelaを生成するステップを含み、
【数３】
2011166786.tif 000033
ここで、Wi,jrelaは前記第ｊ個別リファレンス信号に対する前記第ｉ個別リファレンス信号の相対的な重みであり、Pnoiseはノイズパワーである、請求項３に記載の方法。
【請求項５】
前記初期チャンネル応答間の差Pi,jが第一閾値より小さい時には、前記相対的な重みWi,jrelaを１とし、前記初期チャンネル応答間の差Pi,jが前記第一閾値以上である第二閾値より大きい時には、前記相対的な重みWi,jrelaを０とする、請求項４に記載の方法。
【請求項６】
前記重み生成ステップは、前記少なくとも一部の個別リファレンス信号に対する重みWaveを取得するように前記相対的な重みについて正規化処理を行うステップをさらに含み、当該正規化処理を行うステップにおいて、前記正規化処理は以下の式
【数４】
2011166786.tif 000034
によって行う、請求項４又は請求項５に記載の方法。
【請求項７】
チャンネル推定方法であって、
請求項１〜６の何れか一項に記載の方法によって取得された個別リファレンス信号の最終チャンネル応答を利用して少なくとも一つの信号フレームにおけるすべてのサブキャリアのチャンネル応答を生成する方法。
【請求項８】
チャンネル推定のための個別リファレンス信号のチャンネル応答を生成する装置であって、
複数の信号フレームにおける少なくとも一つの信号フレームに対して、当該少なくとも一つの信号フレームにおける複数の個別リファレンス信号の少なくとも一部の個別リファレンス信号の信号フレーム内のロケーションでの送信信号と受信信号に基づき、当該少なくとも一部の個別リファレンス信号に対する初期チャンネル応答を生成する初期チャンネル応答生成ユニットと、
前記少なくとも一部の個別リファレンス信号のうちの個々の個別リファレンス信号の初期チャンネル応答と前記少なくとも一部の個別リファレンス信号の他の個別リファレンス信号の初期チャンネル応答との差をそれぞれ決定するチャンネル応答差決定ユニットと、
前記チャンネル応答差決定ユニットで決定された初期チャンネル応答の差とノイズパワーに基づき前記少なくとも一部の個別リファレンス信号に対する重みを生成する重み生成ユニットと、
前記少なくとも一部の個別リファレンス信号に対する最終チャンネル応答を取得するように、前記重みを利用して前記初期チャンネル応答について重み付け処理を行う最終チャンネル応答生成ユニットと、
を含む装置。
【請求項９】
前記重み生成ユニットは、前記チャンネル応答差決定ユニットで決定された前記初期チャンネル応答の差が第１の値より大きい場合には、当該差と関連している個別リファレンス信号に対して第１の重みを生成し、前記チャンネル応答差決定ユニットで決定された前記初期チャンネル応答の差が前記第１の値より小さい場合には、当該差と関連している個別リファレンス信号に対して前記第１の重みよりも大きい第２の重みを生成する、請求項８に記載の装置。
【請求項１０】
請求項１〜６の何れか一項に記載のチャンネル応答を生成する方法又は請求項７に記載のチャンネル推定方法を実行するように構成される基地局。
【請求項１１】
請求項１〜６の何れか一項に記載のチャンネル応答を生成する方法又は請求項７に記載のチャンネル推定方法を実行するように構成される移動局。
【発明の詳細な説明】
【技術分野】
【０００１】
本発明は全体として通信分野に関し、例えば、チャンネル推定のための個別リファレンス信号のチャンネル応答を生成する方法及び装置ならびにチャンネル推定方法及び装置に関する。
【背景技術】
【０００２】
無線通信システムでは、直交周波数分割多重（Orthogonal Frequency Division Multiplexing, OFDM）は良好なマルチパスフェージング抵抗の性能と高いスペクトル効率を有する。そのため、OFDMは、IEEE16ｍやUMTS−LTEを含む４Gと準４G技術に主な伝送技術として採用されている。OFDMシステムでは、受信側でコヒーレント検出を行うために、一般的にはリファレンス信号（Reference Signal, RS）に基づくチャンネル推定技術を採用してチャンネルのタイムドメインと周波数ドメインの変更を追跡する。LTEシステムを例とすれば、共通リファレンス信号(Common RS，CRS)と個別リファレンス信号（Dedicated RS，DRS）は下りリンクチャンネル推定を行うことに用いられる。CRSは、コヒーレント検出のサポートを行う以外に、リソーススケジューリングの実行とリンク自己適応技術をサポートするように、下りリンクチャンネルの品質を測定することに用いられる。そのため、CRSは、すべての利用可能な周波数帯域およびすべてのサブフレームとアンテナポートで送信されなければならない。DRSは一般的にビームフォーミング（beamforming）とプリコーディング（precoding）技術のサポートに用いられる。そのため、相応するDRSはスケジューリングされるリソースブロック(Resource Block, RB)だけで送信され、且つ送信される数は送信アンテナの数ではなくデータストリームの数だけと比例する。このようにCRSと比べて、DRSは無線リソースを節約し、RS上の受信信号雑音比を向上させることができる。
【０００３】
常用のRSに基づくチャンネル推定方法において、伝統的なRSに対してゼロフォーシング（Zero Forcing, ZF）推定を行ってから線形補間を行う方法は、検出に必要な性能を得ることができない（特に低SN比の場合）。二次元ウィーナーフィルタはRSに基づく最良の推定方法だと認められている。しかし二次元ウィーナーフィルタはチャンネル特性、即ちタイムドメインと周波数ドメインの相関性を知る必要がある。DRSには正確な推定を行うための十分なリソースがないことがある。また、DFTに基づくタイムドメインのチャンネル推定も常用の方法であるが、同じくDRSが限られた幾つかのRB内のみに分布される可能性があるため、これは周波数に狭い窓を加えたことに相当し、これによるエネルギー漏れはチャンネル推定性能の減衰を引き起こすことがある。二次元ウィーナーフィルタ技術に関しては、例えば、以下の非特許文献１を参照することができる。DFTに基づくタイムドメインのチャンネル推定に関しては、例えば以下の非特許文献２を参照することができる。
【先行技術文献】
【非特許文献】
【０００４】
【非特許文献１】. Hoeher, S. Kaiser他, "Two-dimensional pilot-symbol aided channel estimation by Wiener filtering", in Proc. IEEE Intl. Conf. Acoustics, Speech, and Signal Processing (ICASSP’97), 1997年4月, pp.1845-1848
【非特許文献２】J. J. Beek他, "On Channel Estimation in OFDM Systems", in Proc. IEEE Vehicular Technology Conference (VTC’95), 1995年7月, pp.815-819
【発明の概要】
【発明が解決しようとする課題】
【０００５】
上記の事情に鑑み、DRSの特性に対して新しい、ノイズの影響を平滑化したチャンネル応答を取得するための方法、及びこれにより取得されたチャンネル応答を利用てチャンネル推定を行う方法を設計するのは非常に必要である。
【課題を解決するための手段】
【０００６】
一つの実施形態によれば、チャンネル推定のための個別リファレンス信号のチャンネル応答を生成する方法が提供される。この方法は、複数の信号フレームにおける少なくとも一つの信号フレームに対して、その少なくとも一つの信号フレームにおける複数の個別リファレンス信号の少なくとも一部の個別リファレンス信号の信号フレーム内のロケーションでの送信信号と受信信号に基づいて、その少なくとも一部の個別リファレンス信号に対する初期チャンネル応答を生成する初期チャンネル応答生成ステップと、少なくとも一部の個別リファレンス信号のうちの個々の個別リファレンス信号の初期チャンネル応答と少なくとも一部の個別リファレンス信号の他の個別リファレンス信号の初期チャンネル応答との差をそれぞれ決定するチャンネル応答差決定ステップと、初期チャンネル応答の差とノイズパワーに基づき少なくとも一部の個別リファレンス信号に対する重みを生成する重み生成ステップと、少なくとも一部の個別リファレンス信号に対する最終チャンネル応答を取得するように、生成された重みを利用して初期チャンネル応答について重み付け処理を行う最終チャンネル応答生成ステップとを含む。
【０００７】
他の実施例によるチャンネル推定方法は、上記のような実施形態の方法によって取得された個別リファレンス信号のチャンネル応答を利用して少なくとも一つの信号フレームにおけるすべてのサブキャリアのチャンネル応答を生成する。
【０００８】
さらに他の実施形態によれば、チャンネル推定のための個別リファレンス信号のチャンネル応答を生成する装置が提供される。この装置は、複数の信号フレームにおける少なくとも一つの信号フレームに対して、その少なくとも一つの信号フレームにおける複数の個別リファレンス信号の少なくとも一部の個別リファレンス信号の信号フレーム内のロケーションでの送信信号と受信信号に基づき、その少なくとも一部の個別リファレンス信号に対する初期チャンネル応答を生成する初期チャンネル応答生成ユニットと、少なくとも一部の個別リファレンス信号のうちの個々の個別リファレンス信号の初期チャンネル応答とその少なくとも一部の個別リファレンス信号の他の個別リファレンス信号の初期チャンネル応答との差をそれぞれ決定するチャンネル応答差決定ユニットと、初期チャンネル応答の差とノイズパワーに基づき少なくとも一部の個別リファレンス信号に対する重みを生成する重み生成ユニットと、少なくとも一部の個別リファレンス信号に対する最終チャンネル応答を取得するように、生成された重みを利用して初期チャンネル応答について重み付け処理を行う最終チャンネル応答生成ユニットとを有する。
【０００９】
さらに他の実施形態による基地局または移動局は、上記のような実施形態の個別リファレンス信号を決定する最終チャンネル応答の方法またはチャンネル推定の方法を実行するように構成される。
【００１０】
さらに他の実施形態によれば、装置読み取り可能な命令コードを含むコンピュータプログラムが提供される。このコンピュータプログラムが有する命令コードは装置により読み取られて実行されることにより、上記の実施形態のような個別リファレンス信号を決定する最終チャンネル応答の生成方法またはチャンネル推定の方法をその装置に実行させることができる。
【００１１】
本発明の目的及び利点は、請求項において特に指摘されたエレメント及び組み合わせにより実現され、かつ達成される。
上記の一般的な記述及び下記の詳細な記述の何れも、例示的かつ説明的なものであり、請求項のように、本発明を制限するものではないことを理解されたい。
【発明の効果】
【００１２】
本願明細書に開示された実施形態による方法及び装置の一つの利点は、DRS初期チャンネル応答に対して重み付け処理を行うことによって、ノイズの影響を制御することができる。この他の利点は、DRSのために適当な重みを設置することによって、タイムドメインと周波数ドメインでのチャンネルの変更による影響を減らすことができる。もう一つの利点は、設置された重みによってノイズパワーとDRSのチャンネル応答との間の差を最小化させることができる。
【図面の簡単な説明】
【００１３】
【図１】本発明の実施例によるチャンネル推定のための個別リファレンス信号DRSのチャンネル応答を生成する方法を示すフローチャートである。
【図２】図１で示す実施例の方法による一つの具体的な例示で応用するDRSパイロット構成を示す模式図である。
【図３】図１に示す実施例の方法のような一つの具体的な例での生成したDRS初期チャンネル応答に対して相対的な重みを設置することを示すフローチャートである。
【図４】本発明の実施例によるチャンネル推定のための個別リファレンス信号DRSのチャンネル応答を生成する装置を示す簡略的なブロック図である。
【図５】図４の実施例の装置による一つの具体的な例示を示す簡略的なブロック図である。
【図６Ａ】本発明の実施例による方法及び装置を使用して行った一つのシミュレーションの結果を示す。
【図６Ｂ】本発明の実施例による方法及び装置を使用して行った一つのシミュレーションの結果を示す。
【図７】本発明の実施例による方法及び装置を実施するためのコンピューターの模式的なブロック図である。
【発明を実施するための形態】
【００１４】
図面とともに実施例の説明を参照することにより本発明の上記及び他の目的、特徴と利点を更によく理解することができる。図面における部品は比例して描かれておらず、ただ本発明の原理を示すためのものである。ある部分を示したり、記述の便利のために、図面の対応する部分が拡大されることがあり、即ち、実際に製造された例示の装置での他の部品と比べて大きくなる。なお、すべての図面において、同一又は類似の技術特徴や部品は同一又は類似の図面符号で表示する。
【００１５】
以下では図面を参照しつつ実施形態を説明する。一つの図面または一つの実施方式で記述する要素及び特徴は一つ又はもっと多くのその他の図面または実施方式で示す要素及び特徴と組み合わせることができる。注意すべきことは、明瞭且つ簡潔にするために、図面と説明の中では本発明と関係のない、当業者にとっては周知の部品と処理の表示及び記述を省略した。
【００１６】
図１は一つの実施形態によるチャンネル推定のための個別リファレンス信号DRSのチャンネル応答を生成する方法１００を示すフローチャートである。図面に示すように、当該方法１００はステップS１１０から始まる。初期チャンネル応答の生成ステップS１２０では、複数の信号フレームにおける少なくとも一つの信号フレームに対して、その少なくとも一つの信号フレームにおける複数の個別リファレンス信号DRSの少なくとも一部のDRSの信号フレーム内のロケーションでの送信信号と受信信号に基づいて、その少なくとも一部の個別リファレンス信号に対しての初期チャンネル応答を生成する。チャンネル応答の差決定ステップS１３０では、その少なくとも一部の個別リファレンス信号について、個々の個別リファレンス信号の初期チャンネル応答とその少なくとも一部の個別リファレンス信号における他の個別リファレンス信号の初期チャンネル応答との差を決定する。重み生成ステップS１４０では、チャンネル応答の差決定ステップS１３０で決定された初期チャンネル応答の差とノイズパワーに基づきその少なくとも一部の個別リファレンス信号に対する重みを生成する。最終チャンネル応答の生成ステップS１５０では、その少なくとも一部の個別リファレンス信号に対する最終チャンネル応答を取得するようにその重みを利用して上記の初期チャンネル応答について重み付け処理を行う。
【００１７】
以下には図２〜３を参照して図１の実施例の方法による一つの具体的な例示を詳しく記述する。LTEシステムを例として説明を行う。
【００１８】
図2は本例示の方法で応用するDRSパイロット構成を示す模式図である。具体的には、図２はLTEシステムにCRS及びDRSの一つのRB×一つのサブフレームの構成での模式図を示す。説明の都合のために、その中の各DRSに番号を付した。なお、この種の番号はこれらのDRSの順序又は重要性を示すためのものではなく、只これらのDRS信号を標識するだけのものである。作業中、一つのRBの内に、あわせてN個のDRSサブキャリアがあり、当該例示ではＮ＝１２である。当然のことに、Ｎの具体的数字は具体的な必要によって選択することができ、その数値に限定されるものではない。LTEシステムにおいて、一つの通常循環プレフィックス（normal CP）を有するサブフレームはタイムドメインで１４個のOFDM符号を含み、周波数ドメインでは、各サブキャリアはグループ化されてリソースブロック（resource block, RB）と称され、リソースブロックにCRSとDRSを挿入する。図２では一つのRBにおけるCRSとDRSの図案を示している。図２で、文字“Ｃ”はチャンネルを制御するサブキャリアを表し、文字“Ｄ”はデータサブキャリアを表す。複数のスケジューリングされたRBにおけるDRSを抽出することによって、これらのDRSを一つのシーケンスへ戻すことができる。従って、本例示はただ図２で示す一つのRB×一つのサブフレームの構成だけに関するが、当業者にとって、複数のRBカスケードを有する場合にも、この実施例による方法を適用できることは明らかである。
【００１９】
作業中、送信信号をX=[X1, X2, ..., XN]と表し、受信側で受信した信号を循環プレフィックスCPの除去を行い、高速フーリエ変換FFTを行ってから周波数ドメインの信号が得られ、相応してY=[Y1, Y2, ..., YN]が得られる。ZF(zero force、ゼロフォース)などの方式を利用して簡単に受信された信号を送信する信号で割ると、以下のような式（１）で示す比較的に粗いチャンネル応答又は初期のチャンネル応答Hoが得られる。
【数１】
2011166786.tif 000003
【００２０】
もっと一般的に、各DRSがサブフレームに位置するロケーションで(即ち図２における標記された各DRSに対応するサブフレームのロケーション)の送信信号Xaと受信信号Yaの間の関係は以下のような式（２）で表すことができる。
【数２】
2011166786.tif 000004
【００２１】
なお、Noは加法的白色ガウス雑音（Additive White Gaussian Noise、AWGN）を表す。そこで以下の式（３）で示すような初期チャンネル応答Hoのもっと一般的な形式が得られる。
【数３】
2011166786.tif 000005
【００２２】
なお、Naは平均値0と指定された分散を含む白色ガウス雑音を表す。
【００２３】
これにより、上文中に記述した方式で得た初期チャンネル応答に対してノイズを抑制する必要があることが分かる。等価平均パワー（equal power averaging）は、大きな遅延拡張のチャンネルに対するチャンネル推定を劣化させるため、本例示では等価平均パワーと異なり、加重平均に基づいたDRSの精確なチャンネル応答を取得する方法を採用し、これで取得された精確なチャンネル応答はチャンネル推定を行うことに用いられると同時にノイズの影響を最大限抑制し、タイムドメインと周波数ドメインでのチャンネル変更の影響を減らすことができる。
【００２４】
加重平均に基づいて各DRSの精確なチャンネル応答を取得するために、各DRSに対して適当な重みを設定する必要がある。そのために、サブフレームにおける個々のDRSに対して、そのDRS初期チャンネル応答とその他のDRSのチャンネル応答との二つの差をそれぞれ求める。このような初期チャンネル応答間の差は例えば以下のような式（４）で求めることができる。
【数４】
2011166786.tif 000006
ここで、HoiとHojはそれぞれ第ｉ番目のDRSと第ｊ番目のDRS初期チャンネル応答であり、式（４）は第ｉ番目のDRSと第ｊ番目のDRS初期チャンネル応答の差のノルム二乗(difference absolute square, DAS)を表す。この値は第ｉ番目のDRSと第ｊ番目のDRSとの初期チャンネル応答間の距離とイメージされることができ、この二つの初期チャンネル応答間の差の大きさを表す。すべてのN個のDRSと相応する差のノルム二乗Pi,jで以下のような式（５）で示す初期チャンネル応答の差マトリックスPdiffを組む。
【数５】
2011166786.tif 000007
【００２５】
式（５）では、N、ｉ、ｊは１より大きな自然数であり、且つｉ、ｊはN以下であり、ｉ＝ｊ又はi ≠ jである。ｉ＝ｊの場合、あるDRSが自分に対して初期チャンネル応答の差の計算を行うことに相当し、その差の値は０である。第ｉ番目のDRSと第ｊ番目のDRSとの初期チャンネル応答間の距離は第ｊ番目のDRSと第ｉ番目のDRSとの間の差又は距離と同じである。したがって、マトリックスPdiffの対角要素P1,1，……，PN,Nはいずれも０であり、且つその対角線に対して対称する要素Pi,jとPj,iは同じであることは簡単に理解できることである。そのため、初期チャンネル応答マトリックスの計算負荷は実際上非常に軽い。
【００２６】
上記の式（３）で示す初期チャンネル応答Hoから分かるように、一つのDRSの初期チャンネル応答ともう一つのDRSの初期チャンネル応答間の差と相応するノイズパワーの間の比率が小さい場合には、ノイズの平滑化の観点から見てその差と関連している二つのDRSの初期チャンネル応答に対して平均化処理を行うことは有益である。これに反して、一つのDRSの初期チャンネル応答ともう一つのDRSの初期チャンネル応答間の差と相応するノイズパワーの間の比率が大きい場合には、その差と関連している二つのDRSの初期チャンネル応答に対して平均化処理を行うことはノイズの平滑化の効果の取得にはあまり価値がない。従って、上記によって生成したDRSの初期チャンネル応答の差Pdiffにより各DRSに適当な重みを設定することができ、つまり、初期チャンネル応答の差が小さい場合に、その小さい差と関連しているDRSに対して大きな重みを設置し、そのDRSが初期チャンネル応答の平均化処理に参加することが好ましい。それに反して、初期チャンネル応答の差が大きい場合に、その大きい差と関連しているDRSに対して小さな重みを設定し、そのDRSを初期チャンネル応答の平均化処理に参加させないまたは初期チャンネル応答の平均化処理で少ない働きしかさせないことが好ましい。
【００２７】
上記の重み設置の原則により、様々な方式を利用してDRSに適当な重みを設置することができる。以下には一つの具体的な例を挙げる。
【００２８】
この例では、以下の式（６）によって、上記で得た初期チャンネル応答の差PdiffとノイズパワーPnoiseに基づいて、相対的な重み値を計算することができる。
【数６】
2011166786.tif 000008
【００２９】
ここで、ノイズパワーPnoiseは各種常用の方法で推定することができる。限定しない例示として、以下の式（７）によって、上記ですでに得た初期チャンネル応答の差によりノイズパワーを推定できる。
【数７】
2011166786.tif 000009
【００３０】
この式を利用してノイズパワーを推定する方法の具体的な詳細については、以下の文献を参照することができる。
T.Dateki, D.OgawaとH.Furukawa、“New OFDM Channel Estimation Method by Adding a Virtual Channel Frequency Response”, in Proc. IEEE.Vehicular Technology Conference, (VTC’06 Fall)、2006年9月、pp.１〜５。
【００３１】
なお、選択できる実施方式の一つでは、マルチフレーム平均によって上記で得たDASの推定の精度を上げることができる。例えば、以下の式（８）で示した忘却平均処理でDSAの推定の精度を上げることができる。
【数８】
2011166786.tif 000010
ここで、ｎはサブフレーム番号を表し、忘却因子βは異なる用途に応じて設計することができる。この種の処理の詳細については、以下の文献を参照することができる。
S.Haykin、“Adaptive Filter Theory”, 3rd Ed., Pretice Hall、1996年。
【００３２】
当然のことに、他の各種の適当な方法でDRSの初期チャンネル応答間の差又は距離を決定できる。選択できる実施方式の一つでは、以下のような式を利用してこの種の差又は距離を計算することができる。
【数９】
2011166786.tif 000011
【００３３】
即ち、第ｉ番目の個別リファレンス信号と第ｊ番目の個別リファレンス信号の初期チャンネル応答の差のノルムで両者間の距離を表すことができる。相応して、初期チャンネル応答の差PdiffとノイズパワーPnoiseを利用して相対的な重み値を計算する上記の式（６）は以下のような式に変形できる。
【数１０】
2011166786.tif 000012
【００３４】
図３は、本例示における、生成されたDRS初期チャンネル応答の相対的な重みについて選択を行う具体的な実施方式を示す簡単なフローチャートである。図に示すように、Ｓ３１０で初期チャンネル応答の差Pi,jが閾値Th1より小さいと判断した時に、即ち、第ｉ番目の個別リファレンス信号と第ｊ番目の個別リファレンス信号の初期チャンネル応答の間の差又は距離が当該閾値Th1より低い場合には、Ｓ３２０でその差Pi,jと相応する相対的な重みWi,jrelaを直接に「１」と設定する。Ｓ３１０にて初期チャンネル応答の差Pi,jが閾値Th1以上である場合、Ｓ３３０で初期チャンネル応答の差Pi,jが閾値Th2と比較される。そして初期チャンネル応答の差Pi,jが閾値Th2より大きいと判断した場合に、即ち、第ｉ番目の個別リファレンス信号と第ｊ番目の個別リファレンス信号の初期チャンネル応答の間の差又は距離が当該閾値Th2より大きい場合に、Ｓ３４０でその差Pi,jと相応する相対的な重みWi,jrelaを直接「０」と設定する。上記のＳ３１０とＳ３３０における条件のいずれも満たしていない場合には、上記の式（６）又は（１０）から算出された値を相対的な重みWi,jrelaとする。この種の処理も上記の重み設置の原則にあっている。そのうち、第一と第二閾値はノイズパワーと関連つけて設定する。簡単に理解できるように、Ｓ３１０及び/又はＳ３３０における判断条件はそれぞれ初期チャンネル応答の差Pi,jが閾値Th1より大きくなく、及び初期チャンネル応答の差Pi,jが閾値Th2より小さくないと設定することができ、即ち、閾値Th1かTh2に等しいPi,jが対応する相対的な重みも「１」か「０」と設定する。
【００３５】
選択できる実施方式の一つでは、閾値Th1と閾値Th2とを等しく設定することができる。この時にすべてのDRS初期チャンネル応答の差Pi,jと対応する相対的な重みは、「１」でなければ「０」となり、「１」と「０」の間の重み値はない。この種の重みの設定方式によりすべてのDRSが、ノイズ平滑化のための初期チャンネル応答の平均化処理に最大限で参加する（重みが「１」である）か、そうでなければ、この種の処理に全く参加しない（重みが「０」である）。これは一種の選択的な平均化処理と見ていい。この種の処理では、DRSの初期チャンネル応答の差Pi,jが閾値に等しい場合には、場合によってPi,jと対応する相対的な重みを「１」又は「０」として選択することができる。
【００３６】
それから、絶対重みまた最終重みを得るように、上記の取得された相対的な重みについて正規化処理を行うことができる。以下の式は相対的な重みについて正規化処理を行う一つの具体的な例である。
【数１１】
2011166786.tif 000013
ここで、
【数１２】
2011166786.tif 000014
【数１３】
2011166786.tif 000015
である。
【００３７】
上記の式（１１）では項目Pnoisesumを含まずに、以下の式（１４）を使用して正規化処理を行ってもよい。
【数１４】
2011166786.tif 000016
【００３８】
当然に、その他各種の公知の正規化方法を利用してこの種の処理を行ってもよい。
【００３９】
上記の処理によって得た絶対重みを以下のようなマトリックス形式の重みに構成することができる。
【数１５】
2011166786.tif 000017
【００４０】
そこで、各DRSの加重平均処理を行った最終チャンネル応答Hfが得られるように、以下のような式によって、上記で取得された重みを利用して、それまでに得られた各DRSの初期チャンネル応答に対して重み付け処理を行うことができる。
【数１６】
2011166786.tif 000018
【００４１】
上記の例示では、信号サブフレームにおけるすべてのDRSに対して、加重平均処理を行うための重みを決定する処理を記述した。しかし、すべてのDRSにおける少なくとも一部のDRSだけに対してこの種の処理を行ってもいい。例えば、実際の状況によって差マトリックスPdiffにおける一部の内容、即ちそのマトリックスの任意の一つのサブセットを使うことができる。幾つかのDRSは初期判断を経て捨てることができ、例えば、あるDRSと距離が非常に遠い他のDRSとの間の初期チャンネル応答の差はかなり大きいと、他のDRSには非常に小さい重みが与えられる。この場合に、直接に他のDRSを捨てることができ、上記のノイズパワー平滑化が実現できる重み付け処理に参加されなくてもよい。又は、他の方式、例えば既知の二次元ウィーナーフィルタによって特定のDRSに対する重み又は相関係数などを計算することができる。当然に、後続の処理で実際の状況によってこの差マトリックスにおける一部の情報を使用するように、一つのサブフレームにおけるすべてのDRSに対して差マトリックスPdiffを生成し、又は、実際の需要によってすべてのDRSにおける一部だけに対して必要な差マトリックスPdiffを生成してもよい。なお、上記のように、この例示は一つのサブフレームの場合を示したが、複数のサブフレームカスケードを有する場合にも、本実施形態によるDRSの精確なチャンネル応答を生成する方法を適用できる。具体的に、このような場合に、実際の需要によってすべてのサブフレームにおける少なくとも一部のDRSに対して上記の本実施形態による方法を実施できる。
【００４２】
信号サブフレームにおける相応するDRSの精確なチャンネル応答を取得した後、各種の補間、例えば既知の線形補間、多項式補間、ウィーナーフィルタ補間などの方法によって、上記の取得されたDRSの最終の比較的精確なチャンネル応答に基づいてデータサブキャリアにおけるコヒーレント検出に必要なチャンネル推定値を生成することができる。上記のように、チャンネル推定のためのDRSの最終の比較的精確なチャンネル応答はノイズパワー平滑化を考慮したうえで得たものである。そのため、この種のDRSのチャンネル応答を利用してチャンネル推定を行うことによってノイズパワーの影響を最小化させることができ、またタイムドメインと周波数ドメインでのチャンネル変更の影響を減らすことができ、ノイズパワーとチャンネル応答との間の差を最小化させることができる。
【００４３】
線形補間についての一つの例は、例えば以下の文献を参照することができる。
S. Coleri、 M. Ergen、 A. Puri及びA. Bahai、“Channel estimation techniques based on pilot arrangement in OFDM systems,” IEEE Trans. Broadcasting、2002年9月、第48巻第3号、pp.223-229。
【００４４】
本実施形態の上記のDRSの最終チャンネル応答を利用してチャンネル推定を行う方法も本発明の範囲に含まれる。
【００４５】
なお、他の実施形態ではチャンネル推定のための個別リファレンス信号DRSチャンネル応答を生成する装置も提供する。図４は、この種の装置４００を示す簡略的なブロック図である。図に示すように、この装置４００は、初期チャンネル応答の生成ユニット４１０と、チャンネル応答の差決定ユニット４２０と、重み生成ユニット４３０と、最終チャンネル応答の生成ユニット４４０とを含む。
初期チャンネル応答の生成ユニット４１０は、複数の信号フレームにおける少なくとも一つの信号フレームに対して、その少なくとも一つの信号フレームにおける複数の個別リファレンス信号DRSの少なくとも一部のDRSの信号フレーム内のロケーションでの送信信号と受信信号に基づき、その少なくとも一部の個別リファレンス信号に対する初期チャンネル応答を生成する。
チャンネル応答の差決定ユニット４２０は、その少なくとも一部の個別リファレンス信号について、個々の個別リファレンス信号の初期チャンネル応答とその少なくとも一部の個別リファレンス信号における他の個別リファレンス信号の初期チャンネル応答との差をそれぞれ決定する。
重み生成ユニット４３０は、チャンネル応答の差決定ユニット４２０で決定された差とノイズパワーに基づき、その少なくとも一部の個別リファレンス信号に対する重みを生成する。
最終チャンネル応答の生成ユニット４４０は、その少なくとも一部のDRSに対する最終チャンネル応答を取得するように、重み生成ユニット４３０で生成された重みを利用してDRSの初期チャンネル応答について重み付け処理を行う。
【００４６】
図５は図４に示した実施形態の装置４００による一つの具体的な例である簡略的なブロック図である。図に示すように、装置５００は、ZF推定ユニット５０１、DAS計算ユニット５０２、重み計算ユニット５０３、加重平均ユニット５０４を含む。作業中、ZF推定ユニット５０１はZFの操作を通してDRSの信号サブフレーム内のロケーションでの送信信号Xと受信信号Yに基づいてDRSの粗い又は初期チャンネル応答Hoを得る。DAS計算ユニット５０２はZF推定ユニット５０１から得た初期チャンネル応答Hoにより、DRSの初期チャンネル応答間の差を計算し、本例示ではDRS初期チャンネル応答の差のノルム二乗DAS(difference absolute square)であり、且つ初期チャンネル応答の差のマトリックスPdiffを得る。重み計算ユニット５０３は、取得された初期チャンネル応答の差のマトリックスPdiff及び予め推定されたノイズパワーPnoiseに基づいてDASと関連するDRSに対する重みを計算して、例えば、相対的な重みと絶対重みを含むことができ、これによりDRSと関連する重みマトリックスWaveを構成する。加重平均ユニット５０４は、ZF推定ユニット５０１から取得された初期チャンネル応答Hoと重み計算ユニット５０３から取得された重みマトリックスWaveを利用して重み付け処理を行い、それによってDRSに対する最後のチャンネル応答Hfを得る。
【００４７】
取得された最後チャンネル応答Hfは任意の適当な用途に使うことができる。例えばこの種の最後のチャンネル応答Hfは上がり及び/又は下りのチャンネル推定を行うことに使用できる。チャンネル推定を行う時に、例えば最後のチャンネル応答Hfに対して補間処理を行うことによって信号フレームにおけるすべてのサブキャリアのチャンネル応答を取得することができる。この処理は図５に示す補間ユニット５０５により実行できる。上記のように、補間ユニット５０５は選択的に含まれた機能部材であり、本例示の装置５００の任務はDRSと関連する最後のチャンネル応答Hfを取得することであり、最後のチャンネル応答Hfをチャンネル推定に使用するのは選択できる応用の一種にすぎない。そのために、補間ユニット５０５及びその実行結果は図５において点線で示している。実際に、補間ユニット５０５を含む装置はチャンネル推定を行う装置を構成することができる。
【００４８】
上記の図４に示す装置４００及びそれが含む各ユニット４１０〜４４０、図５に示す装置５００及びそれが含む各ユニット５０１〜５０５は、上記の図１〜３を参照して記述した各種動作を実行するように構成されてもよい。これらの動作に関する詳細は上記の各実施形態、具体な実施方式と実例を参照することができ、ここでは詳しく述べない。
【００４９】
図６Aと図６Bは、本発明の上記の実施例の方法及び装置に関するシミュレーションの例示である。このシミュレーションはEPAチャンネル及び5Hzのドップラー周波数シフトに対して、以下のいくつかの状況、従来のZF推定＋線形補間（平均がなく、ZFと表す）、本実施形態による上記方法（図面ではWAと表す）、及び理論上最優秀な二次元ウィーナーフィルタ（シミュレーションは理想的なチャンネル関連性とノイズパワーを採用して、2DWFと表す）に対してシミュレーションを行う。
【００５０】
図６Aは平均二乗誤差(Mean Square Error, MSE)に対するシミュレーション結果であり、図６Bはブロック誤り率(Block Error Rate, BLER)に対するシミュレーション結果である。ここでBLERをシミュレーションする時に、16QAMで1/2turboコードを変調する変調符号化方式を採用した。また、図の“ideal”は理想的なチャンネル推定を表す。チャンネル推定を行う時に、本願で提案した方法と理想的なチャンネル相関性を採用した二次元ウィーナーフィルタは似た性能を得ることができることが、図から明らかである。
【００５１】
本願の上記実施形態によるDRS最終チャンネル応答の取得方法、チャンネル推定方法及びその装置は、DRSを利用してチャンネル推定を行う又は他の機能または動作の各種の状況、例えばOFDMに基づくTD-LTE（TD−ロングタームエボリューション）システムに応用することができる。
【００５２】
上記の実施例についての記述はダウンリンクを例としているが、当業者にとって、DRSを利用してチャンネル推定などを行うのであれば、本願の上記実施形態による方法でDRSのノイズパワー平滑化された精確なチャンネル応答を取得することができることは明らかである。また当業者にとって、そのチャンネル応答を利用してチャンネル推定を行うことができ、且つ相応してノイズパワーの抑制、タイムドメインと周波数ドメインでのチャンネル差の影響の最小化などの有益な効果を取得することができることも明らかである。
【００５３】
そのため、ダウンリンクでDRSのチャンネル応答を利用してチャンネル推定などの動作を行うモバイル端末のような移動局、及びアップリンクでDRSのチャンネル応答を利用してチャンネル推定などの動作を行う基地局は、いずれも本願の実施形態による上記のDRSの最終の精確なチャンネル応答を取得する方法及び取得されたDRSの最終のチャンネル応答を利用してチャンネル推定を行う方法を実行するように構成されてもよい。例えば、その移動局及び基地局の何れも、上記のDRSの最終の精確なチャンネル応答を取得する装置及び取得されたDRSの最終のチャンネル応答を利用してチャンネル推定を行う装置を含むように構成されてもよい。従って、これらの機能を有する基地局及び移動局はみな本発明の保護範囲に入るものと認められるべきである。
【００５４】
以上でブロック図、フローチャート及び/又は実施形態を通して詳しい記述を行い、本願の実施形態による装置及び/又は方法の異なる実施方式を説明した。これらのブロック図、フローチャート及び/又は実施例が一つ又は複数の機能及び/又は動作を含むときに、当業者にとってこれらのブロック図、フローチャート及び/又は実施例における各機能及び/又は動作は各種のハードウェア、ソフトウェア、ファームウェア又は実質上それらの任意の組合せを通して単独的に及び/又は共同で実施されることは明らかである。実施方式の一つでは、本明細書で記述した主題の各部分は特定用途集積電路（ASIC）、フィールドプログラマブルゲートアレイ（FPGA）、デジタルシグナルプロセッサ（DSP）又は他の集積回路の形式によって実現することができる。しかし、当業者は、本明細書で記述した実施方式の幾つかの側面について、全部又は部分的に一つ又は複数のコンピューターで実行する一つ又は複数のコンピュータープログラムの形式（例えば、一つ又は複数のコンピューターシステムで実行する一つ又は複数のコンピュータープログラムの形式）、一つ又は複数のプロセッサで実行する一つ又は複数のプログラムの形式（一つ又は複数のマイクロプロセッサで実行する一つ又は複数のプログラムの形式）、ファームウェアの形式、又は実質上それらの任意の組合せの形式で同等的に実施されることは認識すべきことであり、且つ本明細書に公開された内容によって、その公開に用いる電気回路の設計及び/又は本公開に用いるソフトウェア及び/又はファームウェアのコードを書くのはすべて当業者の能力範囲に属するものである。
【００５５】
例えば、上記の装置４００と５００における各構成モジュール、ユニット、サブユニットはソフトウェア、ファームウェア、ハードウェア又はその任意の組合せの方式を通して構成することができる。ソフトウェアとファームウェアを介して実現する場合に、記憶媒体又はネットワークから専用ハードウェアを有するコンピューター（例えば図７で示す汎用コンピュータ７００）へそのソフトウェアを構成するプログラムをインストールすることができ、そのコンピューターは各種プログラムがインストールされている時に、様々な機能を実行することができる。
【００５６】
図７は本発明の実施例による方法及び装置が実施できるコンピューターを示す模式的なブロック図である。このコンピュータは、移動局または基地局の一例である。
【００５７】
図７で、中央処理装置（CPU）７０１は読み取り専用メモリ（ROM）７０２に記憶されているプログラム又はメモリーセクション７０８からランダムアクセスメモリ（RAM）７０３にロードされたプログラムによって各種処理を実行する。ＲＡＭには、必要によりCPU７０１が各種処理などを実行するのに必要なデータが記憶されている。CPU７０１、ROM７０２とＲＡＭ７０３はバス７０４を介して互いに接続されている。入力/出力インターフェイス７０５もバス７０４へ接続されている。
【００５８】
次の部品、入力セクション７０６（キーボード、マウスなどを含む）、出力セクション７０７（モニタ、例えばブラウン管（CRT）、液晶モニタ（LCD）など、スピーカーなどを含む）、メモリーセクション７０８（ハードウェアなどを含む）、通信セクション７０９（ネットワークインターフェイスカード、例えばLANカード、モデムなどを含む）、入力/出力インターフェイス７０５へ接続されている。通信セクション７０９はネットワーク例えばインターネットで通信処理を行う。必要によって、ドライブ７１０も入力/出力インターフェイス７０５へ接続されてもよい。リムーバブルメディア７１１例えばディスク、コンパクトディスク、磁気ディスク、半導体メモリなどは必要によってドライブ７１０に装着されることができ、そこから読み出したコンピュータープログラムが必要によってメモリーセクション７０８にインストールされる。
【００５９】
ソフトウェアを通して上記の一連の処理を実現する場合に、ネットワーク例えばインターネットから又は記憶媒体例えばリムーバブルメディア７１１からソフトウェアを構成するプログラムをインストールすることができる。
【００６０】
当業者は、この記憶媒体は図７で示すプログラムが記憶されている、装置と分離して配属してユーザーへプログラムを提供するリムーバブルメディア７１１に限定されることではないことは理解すべきことである。リムーバブルメディア７１１の例にはディスク（フロッピー（登録商標）ディスクを含む）、コンパクトディスク（コンパクトディスク読み取り専用メモリ（CD−ROM）とデジタルビデオディスプレイ（DVD）を含む）、磁気ディスク（ミニディスク（MD）（登録商標））と半導体メモリが含まれる。又は、記憶媒体はROM７０２、メモリーセクション７０８に含まれるハードウェアなどであってもよく、それにはプログラムが記憶されており、それらが含まれている装置と一緒にユーザーに配属される。
【００６１】
装置で読み取り可能な命令コードが上記のプログラムに含まれ、その命令コードが装置で読み取られまた実行されることにより、その装置は、上記の本願の実施形態による各種方法を実行できる。相応して、これらのプログラムを載せる上記で列挙した様々な記憶媒体も本発明の公開に含まれるものである。
上記の記述で触れた各参考文献は、簡単且つ明瞭のために、援用することによりここに入り、これらの援用は本明細書でこれらの参考文献について詳しく記述したことと同様である。
【００６２】
上記の具体的実施例についての記述において、実施方式の一つに対する記述及び/又は示す特徴は同一又は類似の方式で一つ又はもっと多くの他の実施方式で使うことができ、他の実施方式の特徴と組合せられるか、又は他の実施方式の特徴に取って代わる。
【００６３】
強調すべきことは、用語の「含む/有する」が本文で使用される時は特徴、要素、ステップ、部品の存在を指し、一つ又はもっと多くのその他の特徴、要素、ステップ、部品の存在又は付加を排除しない。
【００６４】
その他に、本発明の実施方法は明細書で記述された時間順序で実行されることに限定されず、その他の時間順序によって、平行的に又は独立して実行することができる。そのため、本明細書で記述する方法の時間順序は本発明の技術範囲を限定しない。
【００６５】
以上、本発明の具体的な実施例の記述を通して本発明についての公開を行ったが、理解すべきことは、当業者は請求の範囲の精神と範囲内で本発明に対して各種の修正、変更及び同等なものを設計することができる。これらの修正、変更及び同等なものも本発明の保護範囲に入るべきである。
【００６６】
以上説明した実施形態及びその変形例に関し、更に以下の付記を開示する。しかし、上記の実施例の記述から分かるように、本発明は以下の付記に記述した内容をカバーするがその内容に限定されることはない。
（付記１）
チャンネル推定のための個別リファレンス信号のチャンネル応答を生成する方法であって、
複数の信号フレームにおける少なくとも一つの信号フレームに対して、当該少なくとも一つの信号フレームにおける複数の個別リファレンス信号の少なくとも一部の個別リファレンス信号の信号フレーム内のロケーションでの送信信号と受信信号に基づいて、当該少なくとも一部の個別リファレンス信号に対する初期チャンネル応答を生成する初期チャンネル応答生成ステップと、
前記少なくとも一部の個別リファレンス信号のうちの個々の個別リファレンス信号の初期チャンネル応答と前記少なくとも一部の個別リファレンス信号の他の個別リファレンス信号の初期チャンネル応答との差をそれぞれ決定するチャンネル応答差決定ステップと、
前記チャンネル応答差決定ステップで決定された初期チャンネル応答の差とノイズパワーに基づき前記少なくとも一部の個別リファレンス信号に対する重みを生成する重み生成ステップと、
前記少なくとも一部の個別リファレンス信号に対する最終チャンネル応答を取得するように、前記重みを利用して前記初期チャンネル応答について重み付け処理を行う最終チャンネル応答生成ステップと、
を含む方法。
（付記２）
前記重み生成ステップは、前記チャンネル応答差決定ステップで決定された前記初期チャンネル応答の差が第１の値より大きい場合には、当該差と関連している個別リファレンス信号に対して第１の重みを生成し、前記チャンネル応答差決定ステップで決定された前記初期チャンネル応答の差が前記第１の値よりも小さい場合には、当該差と関連している個別リファレンス信号に対して前記第１の重みよりも大きい第２の重みを生成する付記１に記載の方法。
（付記３）
前記チャンネル応答差決定ステップは、
以下の式によって、前記少なくとも一部の個別リファレンス信号のうちの第ｉ個別リファレンス信号と第ｊ個別リファレンス信号の初期チャンネル応答間の差のノルム二乗Pi,jを生成して当該第ｉ個別リファレンス信号の初期チャンネル応答と当該第ｊ個別リファレンス信号の初期チャンネル応答の間の差とするステップを含み、
【数１７】
2011166786.tif 000019
ここで、HoiとHojはそれぞれ前記第ｉ個別リファレンス信号と前記第ｊ個別リファレンス信号の初期チャンネル応答であり、前記少なくとも一部の個別リファレンス信号に含まれるN個全ての個別リファレンス信号に対応する差のノルム二乗Pi,jにより構成されるマトリックスは前記チャンネル応答差決定ステップで決定された前記初期チャンネル応答の差Pdiffを構成し、
【数１８】
2011166786.tif 000020
ここで、N、ｉ、ｊは１より大きな自然数であり、且つｉ、ｊはN以下であり、ｉ＝ｊ又はi ≠ jである、付記１又は付記２に記載の方法。
（付記４）
前記チャンネル応答差決定ステップは前記複数の信号フレームのそれぞれについて決定した前記初期チャンネル応答の差に対して、前記複数の信号フレームの間で忘却平均処理を行うステップを含み、当該忘却平均処理は以下の式によって行い、
【数１９】
2011166786.tif 000021
ここで、ｎは信号フレームのフレームナンバーであり、βは予め設定された忘却因子である、付記３に記載の方法。
（付記５）
前記重み生成ステップは、以下の式によって個別リファレンス信号に対する相対的な重みWi,jrelaを生成するステップを含み、
【数２０】
2011166786.tif 000022
ここで、Wi,jrelaは前記第ｊ個別リファレンス信号に対する前記第ｉ個別リファレンス信号の相対的な重みであり、Pnoiseはノイズパワーである、付記３又は付記４に記載の方法。
（付記６）
前記初期チャンネル応答間の差Pi,jが第一閾値より小さい時には、前記相対的な重みWi,jrelaを１とし、前記初期チャンネル応答間の差Pi,jが前記第一閾値以上である第二閾値より大きい時には、前記相対的な重みWi,jrelaを０とする、付記５の方法。
（付記７）
前記重み生成ステップは、前記少なくとも一部の個別リファレンス信号に対する重みWaveを取得するように前記相対的な重みについて正規化処理を行うステップをさらに含み、当該正規化処理を行うステップにおいて、前記正規化処理は以下の式
【数２１】
2011166786.tif 000023
付記５又は付記６に記載の方法。
（付記８）
前記最終チャンネル応答生成ステップは、以下の式によって前記少なくとも一部の個別リファレンス信号に対する最終チャンネル応答値HfTを取得し、
【数２２】
2011166786.tif 000024
ここで、Hoは前記少なくとも一部の個別リファレンス信号の初期チャンネル応答を表し、Tはマトリックスの転置演算を表す、付記７に記載の方法。
（付記９）
チャンネル推定方法であって、
付記１〜８の何れか一項に記載の方法によって取得された個別リファレンス信号の最終チャンネル応答を利用して少なくとも一つの信号フレームにおけるすべてのサブキャリアのチャンネル応答を生成する方法。
（付記１０）
線形補間、多項式補間及びウィーナーフィルタ補間の中の一つによって前記少なくとも一つの信号フレームにおけるすべてのサブキャリアのチャンネル応答を生成する付記９に記載の方法。
（付記１１）
チャンネル推定のための個別リファレンス信号のチャンネル応答を生成する装置であって、
複数の信号フレームにおける少なくとも一つの信号フレームに対して、当該少なくとも一つの信号フレームにおける複数の個別リファレンス信号の少なくとも一部の個別リファレンス信号の信号フレーム内のロケーションでの送信信号と受信信号に基づき、当該少なくとも一部の個別リファレンス信号に対する初期チャンネル応答を生成する初期チャンネル応答生成ユニットと、
前記少なくとも一部の個別リファレンス信号のうちの個々の個別リファレンス信号の初期チャンネル応答と前記少なくとも一部の個別リファレンス信号の他の個別リファレンス信号の初期チャンネル応答との差をそれぞれ決定するチャンネル応答差決定ユニットと、
前記チャンネル応答差決定ユニットで決定された初期チャンネル応答の差とノイズパワーに基づき前記少なくとも一部の個別リファレンス信号に対する重みを生成する重み生成ユニットと、
前記少なくとも一部の個別リファレンス信号に対する最終チャンネル応答を取得するように、前記重みを利用して前記初期チャンネル応答について重み付け処理を行う最終チャンネル応答生成ユニットと、
を含む装置。
（付記１２）
前記重み生成ユニットは、前記チャンネル応答差決定ユニットで決定された前記初期チャンネル応答の差が第１の値より大きい場合には、当該差と関連している個別リファレンス信号に対して第１の重みを生成し、前記チャンネル応答差決定ユニットで決定された前記初期チャンネル応答の差が前記第１の値より小さい場合には、当該差と関連している個別リファレンス信号に対して前記第１の重みよりも大きい第２の重みを生成する、付記１１に記載の装置。
（付記１３）
前記チャンネル応答差決定ユニットは、
以下の式によって、前記少なくとも一部の個別リファレンス信号のうちの第ｉ個別リファレンス信号と第ｊ個別リファレンス信号の初期チャンネル応答間の差のノルム二乗Pi,jを生成して当該第ｉ個別リファレンス信号の初期チャンネル応答と当該第ｊ個別リファレンス信号の初期チャンネル応答の間の差とし、
【数２３】
2011166786.tif 000025
ここで、HoiとHojはそれぞれ前記第ｉ個別リファレンス信号と前記第ｊ個別リファレンス信号の初期チャンネル応答であり、前記少なくとも一部の個別リファレンス信号に含まれるN個全ての個別リファレンス信号に対応する差のノルム二乗Pi,jにより構成されるマトリックスは前記チャンネル応答差決定ユニットで決定された前記初期チャンネル応答の差Pdiffを構成し、
【数２４】
2011166786.tif 000026
ここで、N、ｉ、ｊは１より大きな自然数であり、且つｉ、ｊはN以下であり、ｉ＝ｊ又はi ≠ jである、付記１１又は付記１２に記載の装置。
（付記１４）
前記チャンネル応答差決定ユニットは前記複数の信号フレームのそれぞれについて決定した前記初期チャンネル応答の差に対して、前記複数の信号フレームの間で忘却平均処理を行い、当該忘却平均処理は以下の式によって行い、
【数２５】
2011166786.tif 000027
ここで、ｎは信号フレームのフレームナンバーであり、βは予め設定された忘却因子である、付記１３に記載の装置。
（付記１５）
前記重み生成ユニットは以下の式によって個別リファレンス信号に対する相対的な重みWi,jrelaを生成し、
【数２６】
2011166786.tif 000028
ここで、Wi,jrelaは前記第ｊ個別リファレンス信号に対する前記第ｉ個別リファレンス信号の相対的な重みであり、Pnoiseはノイズパワーである、付記１３又は付記１４に記載の装置。
（付記１６）
前記初期チャンネル応答間の差Pi,jが第一閾値より小さい時には、前記相対的な重みWi,jrelaを１として設置し、前記初期チャンネル応答間の差Pi,jが第二閾値より大きい時には、前記相対的な重みWi,jrelaを０として設置する、付記１５に記載の装置。
（付記１７）
前記重み生成ユニットは、前記少なくとも一部の個別リファレンス信号に対する重みWaveを取得するように前記相対的な重みについての正規化処理を行い、前記正規化処理は以下の式によって行う。
【数２７】
2011166786.tif 000029
付記１５又は付記１６に記載の装置。
（付記１８）
前記最終チャンネル応答生成ユニットは、以下の式によって前記少なくとも一部の個別リファレンス信号に対する最終チャンネル応答値HfTを取得し、
【数２８】
2011166786.tif 000030
ここで、Hoは前記少なくとも一部の個別リファレンス信号の初期チャンネル応答を表し、Tはマトリックスの転置演算を表す、付記１７に記載の装置。
（付記１９）
付記１〜８の何れか一項に記載のチャンネル応答を生成する方法、又は付記９または１０に記載のチャンネル推定方法を実行するように構成される基地局。
（付記２０）
付記１〜８の何れか一項に記載のチャンネル応答を生成する方法、又は付記９または１０に記載のチャンネル推定方法を実行するように構成される移動局。
（付記２１）
装置読み取り可能な命令コードを含むコンピュータプログラムであって、
前記命令コードは前記装置で読み取られることにより、前記装置に付記１〜８の何れか一項に記載のチャンネル応答を生成する方法、又は付記９または１０に記載のチャンネル推定方法を実行させるコンピュータプログラム。
（付記２２）
付記２１に記載のコンピュータプログラムが記録された記憶媒体。
【符号の説明】
【００６７】
４００    チャンネル応答生成装置
４１０    初期チャンネル応答生成ユニット
４２０    差決定ユニット
４３０    重み生成ユニット
４４０    最終チャンネル応答生成ユニット
５０１    ZF推定ユニット
５０２    DAS計算ユニット
５０３    重み計算ユニット
５０４    加重平均ユニット
５０５    補間ユニット
【図１】
2011166786.tif 000035
【図３】
2011166786.tif 000036
【図４】
2011166786.tif 000037
【図５】
2011166786.tif 000038
【図６Ａ】
2011166786.tif 000039
【図６Ｂ】
2011166786.tif 000040
【図７】
2011166786.tif 000041
【図２】
2011166786.tif 000042